(57)【特許請求の範囲】
【請求項１】
上部ヒンジアセンブリと下部ヒンジアセンブリと引締めねじアセンブリとを備える柵ヒンジアセンブリであって、
該上部ヒンジアセンブリは、
下面と、該下面から下方に突出形成され外部ねじ山を有する上部ピントルとを有する上部ピントル具と、
該上部ピントル具の該下面に当接する上面と、下面と、貫通して形成され該上部ピントルが回動可能に装入される貫通孔とを有する上部ガジオン具と
を備え、該上部ガジオン具は該上部ピントル具の該上部ピントルに装着され該上部ピントル具の該下面に選択的に当接し、
該下部ヒンジアセンブリは、
上面と、下面と、貫通して形成され内壁を有する貫通孔とを有する下部ガジオン具と、
該下部ガジオン具の該下面に対向し選択的に当接する上面と、該上面から上方に突出形成され該下部ガジオン具の該貫通孔に回動可能に装入され、該上部ピントル具の該上部ピントルと対向し一直線に並ぶ下部ピントルとを有する下部ピントル具と
を備え、該下部ピントル具は該下部ガジオン具と選択的に係合しこれを保持し、
該引締めねじアセンブリは、
該上部ピントルに取り付けられ該上部ガジオン具の該下面に当接する上端と、
該下部ピントルに取り付けられ該下部ガジオン具の該上面に当接する下端と
を有し、該引締めねじアセンブリは該上部ピントル具と該下部ピントル具とに回転可能に接続され、回転させた時、選択的に該上部ガジオン具と該下部ガジオン具とを該上部ピントル具と該下部ピントル具とに押し込むか、又は該上部ピントル具と該下部ピントル具とを解放する柵ヒンジアセンブリ。
【請求項２】
前記引締めねじアセンブリは主筒と接続筒とピンとを更に有し、
該主筒は、
上開放端と、
前記下部ガジオン具の前記上面に当接し前記下部ピントル具の前記下部ピントルが装入される下開放端と、
側壁と、
該主筒の該上開放端に装着されるスリーブと、
該主筒の該側壁に互いに正反対側で該上開放端近くに縦方向に形成された２つの細長いスロットと、
該主筒の該下開放端に同一軸を中心として形成され該下部ピントル具の該下部ピントルに対応しこれが装入される下部孔とを有し、
該接続筒は、
前記上部ガジオン具の前記下面に当接する上端と、
下端と、
側壁と、
該接続筒の該上端に同一軸を中心として形成され、該上部ピントル具の該上部ピントルに対応しこれが装入される上部ねじ山付き孔と、
該接続筒の該下端内に形成され、該主筒の該上開放端が装入される同一軸凹部と、
該接続筒の該側壁に互いに正反対側に形成され、該同一軸凹部に連通する２つのピン孔と、
該同一軸凹部内に装着され、該接続筒と該スリーブとに当接するばねとを有し、
該ピンは該主筒の該２つの細長いスロットと該接続筒の該２つのピン孔とを通って延在する請求項１に記載の柵ヒンジアセンブリ。
【請求項３】
前記下部ピントル具の前記下部ピントルは、外部ねじ山を更に有し、前記引締めねじアセンブリの前記主筒の前記下部孔は、ねじが切られている請求項２に記載の柵ヒンジアセンブリ。
【請求項４】
前記接続筒は、非円形である請求項２に記載の柵ヒンジアセンブリ。
【請求項５】
前記上部ピントル具は、該上部ピントル具の前記下面内に形成された凹部を更に有し、
該上部ピントル具の前記上部ピントルは該凹部内に同心円状に形成され、
前記上部ガジオン具は、該上部ガジオン具の前記上面から上方に突出形成され、該上部ピントル具の該凹部内に装着される円筒形突出部を更に有し、
該上部ガジオン具の前記貫通孔は、該円筒形突出部と同心円状に形成され、
前記下部ガジオン具は、該下部ガジオン具の前記貫通孔の周りの前記下面から下方に突出形成され、先端に向って徐々に細くなり、外面を有する円筒形突出部を更に有し、
前記下部ピントル具は、該下部ピントル具の前記上面内に形成され、該下部ガジオン具の該円筒形突出部が装入され、奥に向って徐々に狭くなり選択的に該下部ガジオン具の該円筒形突出部に当接しこれを保持する内部側壁を有する凹部を更に有し、
該下部ピントル具の前記下部ピントルは、該下部ピントル具の該凹部内に同心円状に形成されている請求項３に記載の柵ヒンジアセンブリ。
【請求項６】
前記下部ガジオン具は、該下部ガジオン具の前記円筒形突出部の前記外面上に縦方向に形成された多数の歯を更に有し、
前記下部ピントル具の前記凹部の前記内部側壁は、該下部ガジオン具の該円筒形突出部の該多数の歯と選択的に係合する多数の歯を有する請求項５に記載の柵ヒンジアセンブリ。
【請求項７】
前記下部ガジオン具は、該下部ガジオン具の前記上面内に形成され前記貫通孔と連通する案内溝を更に有し、
該下部ガジオン具の該貫通孔の前記内壁は、該下部ガジオン具の該上面の一部を成す環状の肩を有し、
前記引締めねじアセンブリの前記主筒の前記下開放端は、該案内溝に沿って滑り、該下部ガジオン具の該貫通孔に入り該内壁の該環状の肩に当接する請求項６に記載の柵ヒンジアセンブリ。
【発明の詳細な説明】
【技術分野】
【０００１】
本発明は、柵ヒンジアセンブリ、特に折り畳み及びしっかりと広げることが可能で容易に調整可能な柵ヒンジアセンブリに関する。
【背景技術】
【０００２】
柵を、人々が危険な又は危害を及ぼす物と接触するのを防ぐために、その危険物の周りに置いたり、特定の領域への立入を阻止するために、通路を横切って置いたり、又は特定の領域への移動を制限しケガをするのを防ぐために、子供やペットの周りに置くことができる。
【０００３】
図５を参照すると、従来の柵は、従来の柵ヒンジアセンブリによって接続された２つ以上の柵セグメント（ＡＡ）を備える。この従来の柵ヒンジアセンブリは、互いに近接した柵セグメント（ＡＡ）の突出した端に装着され、上部ヒンジアセンブリ（６０）と、下部ヒンジアセンブリ（７０）と、回動アセンブリ（８０）とを備える。
【０００４】
上部ヒンジアセンブリ（６０）は互いに近接した柵セグメント（ＡＡ）の上端に装着され、上部ガジオン具（６１）と上部ピントル具（６２）とを有する。上部ガジオン具（６１）は一方の柵セグメント（ＡＡ）の上端に取り付けられ、そこから縦方向に突出し、下面と円筒形突出部とを有する。この円筒形突出部は該下面から下方に突出形成され、中央回動穴、外縁、及び多数の歯（６１１）を有する。歯（６１１）は該円筒形突出部の外縁に縦方向に形成されている。上部ピントル具（６２）は近接した他方の柵セグメント（ＡＡ）の上端に取り付けられ、そこから縦方向に突出し、上部ガジオン具（６１）と係合しこれを保持する。上部ピントル具（６２）は上面、下面、凹部（６２１）、上部ピントル、多数の歯（６２２）、及び同一軸凹部（６２３）を有する。凹部（６２１）は上部ピントル具（６２）の上面内に形成され、内部側壁を有する。該上部ピントルは凹部（６２１）内に同心円状に形成され、凹部（６２１）から上方に突出し、上部ガジオン具（６１）の該中央回動穴内に回動可能に装入される。歯（６２２）は凹部（６２１）の該内部側壁に縦方向に形成され、上部ガジオン具（６１）の該円筒形突出部の歯（６１１）に対応しこれらと選択的に係合して、上部ガジオン具（６１）を適正な位置に保持する。同一軸凹部（６２３）は上部ピントル具（６２）の下面内に凹部（６２１）と同心円状に形成されている。
【０００５】
下部ヒンジアセンブリ（７０）は互いに近接した柵セグメント（ＡＡ）の下端に装着され、下部ガジオン具（７１）と下部ピントル具（７２）とを有する。下部ガジオン具（７１）は一方の柵セグメント（ＡＡ）の下端に取り付けられ、そこから縦方向に突出し、下面と、円筒形突出部と、貫通孔（７１２）とを有する。この円筒形突出部は該下面から下方に突出形成され、外縁と、多数の歯（７１１）とを有する。歯（７１１）は該円筒形突出部の外縁に縦方向に形成されている。貫通孔（７１２）は下部ガジオン具（７１）と該円筒形突出部とを貫通し同心円状に形成されている。下部ピントル具（７２）は近接した他方の柵セグメント（ＡＡ）の下端に取り付けられ、そこから縦方向に突出し、下部ガジオン具（７１）と係合しこれを保持する。下部ピントル具（７２）は上面と、凹部（７２１）と、下部ピントルと、多数の歯（７２２）とを有する。凹部（７２１）は下部ピントル具（７２）の上面内に形成され、内部側壁を有する。該下部ピントルは凹部（７２１）内に同心円状に形成され、凹部（７２１）から上方に突出し、下部ガジオン具（７１）の該中央貫通孔（７１２）内に回動可能に装入される。歯（７２２）は凹部（７２１）の該内部側壁に縦方向に形成され、下部ガジオン具（７１）の歯（７１１）に対応しこれらと選択的に係合して、下部ガジオン具（７１）を適正な位置に保持する。
【０００６】
回動アセンブリ（８０）は上部ヒンジアセンブリ（６０）と下部ヒンジアセンブリ（７０）との間に装着され、ばね（８１）と回動棒（８２）とを有する。ばね（８１）は上部ピントル具（６２）の同一軸凹部（６２３）内に装着される。回動棒（８２）は上部ピントル具（６２）の同一軸凹部（６２３）内に装着され、ばね（８１）に当接し、下部ガジオン具（７１）の貫通孔（７１２）を通って下部ピントル具（７２）の該下部ピントルにも当接する。
【０００７】
上記従来の柵を調整する時、一方の柵セグメント（ＡＡ）が、上部ガジオン具（６１）の歯（６１１）と下部ガジオン具（７１）の歯（７１１）が上部ピントル具（６２）の歯（６２２）と下部ピントル具（７２）の歯（７２２）から離れるまで、回動アセンブリ（８０）に沿って軸方向に持上げられる。これにより、近接した柵セグメント（ＡＡ）は互いに対して回動可能となり、この柵を折り畳むか又は広げることができる。
【０００８】
しかし、上記従来の柵ヒンジアセンブリは、上部ガジオン具（６１）の歯（６１１）と下部ガジオン具（７１）の歯（７１１）が上部ピントル具（６２）の歯（６２２）と下部ピントル具（７２）の歯（７２２）に係合することだけによって適正な位置に保持される。一方の柵セグメント（ＡＡ）にぶつかるか又は持上げると、近接した柵セグメント（ＡＡ）同士は容易に切り離される。
また、歯（６１１、６２２、７１１、７２２）が離れるのには十分で、柵セグメント（ＡＡ）同士を切り離すのには十分でない量、一方の柵セグメント（ＡＡ）を持上げるのは、操作上不便である。
また、歯（６１１、６２２、７１１、７２２）は、不適切に整合されると容易に壊れ、又は長期間の使用とともに摩耗する。また、上部ピントル具（６２）を押して上部ガジオン具（６１）と係合させ、かつ下部ガジオン具（７１）の貫通孔（７１２）内に装着された回動棒（８２）を押すばね（８１）は、柵セグメント（ＡＡ）同士をしっかりと適正な位置に保持することができない。従って、従来の柵ヒンジアセンブリは、容易に緩むか又は崩壊する。
【発明の開示】
【発明が解決しようとする課題】
【０００９】
本発明の主な目的は、操作が容易で近接した柵セグメント同士を一体に確実に保持する柵ヒンジアセンブリを提供することである。
【課題を解決するための手段】
【００１０】
本発明の柵ヒンジアセンブリは上部ヒンジアセンブリと下部ヒンジアセンブリと引締めねじアセンブリとを備える。この上部ヒンジアセンブリは、上部ピントル具と上部ガジオン具とを備え、該上部ピントル具は下方に突出した上部ピントルを有する。該上部ガジオン具は該上部ピントルが装入される貫通孔を有する。該下部ヒンジアセンブリは、下部ガジオン具と下部ピントル具とを備え、該下部ガジオン具は貫通孔を有する。該下部ピントル具は、上方に突出し該下部ガジオン具の該貫通孔を貫通して装着される下部ピントルを有する。該引締めねじアセンブリは、該上部ピントル具の上部ピントルと該下部ピントル具の下部ピントルとに同時に取り付けられ、該上部ガジオン具と該下部ガジオン具とを特定の位置に保持する。
【発明を実施するための最良の形態】
【００１１】
図１と図４を参照すると、本発明に係る柵ヒンジアセンブリは、近接した柵セグメント（ＡＡ）同士の間に装着されて、柵を選択的に調整可能で折り畳み可能に、かつ適正な位置に固定可能に形成する。柵ヒンジアセンブリは、近接した柵セグメント（ＡＡ）の突き出た端に装着され、上部ヒンジアセンブリ（１０）と、下部ヒンジアセンブリ（２０）と、引締めねじアセンブリ（３０）とを備える。
【００１２】
上部ヒンジアセンブリ（１０）は近接した柵セグメント（ＡＡ）の上端に装着され、上部ピントル具（１１）と上部ガジオン具（１２）とを有する。
【００１３】
更に図２と図３を参照すると、上部ピントル具（１１）は一方の柵セグメント（ＡＡ）の上端に取り付けられ、そこから縦方向に突出し、下面と、必須ではない凹部（１１１）と、上部ピントル（１１２）とを有する。凹部（１１１）は上部ピントル具（１１）の下面内に形成されている。上部ピントル（１１２）は凹部（１１１）内の上部ピントル具（１１）の下面から同心円状に下方に突出形成され、外部ねじ山を有している。
【００１４】
上部ガジオン具（１２）は他方の柵セグメント（ＡＡ）の上端に取り付けられ、そこから縦方向に突出し、上部ピントル具（１１）の上部ピントル（１１２）が装入され、上部ピントル具（１１）の下面に選択的に当接する。上部ガジオン具（１２）は上面、下面、必須ではない円筒形突出部（１２２）、及び貫通孔（１２１）を有する。この上面は上部ピントル具（１１）の下面に当接する。円筒形突出部（１２２）は上部ガジオン具（１２）の上面から突出形成され、上部ピントル具（１１）の凹部（１１１）内に装着される。貫通孔（１２１）は円筒形突出部（１２２）と同心円状に上部ガジオン具（１２）を貫通して形成され、上部ピントル（１１２）が回動可能に装入される。
【００１５】
下部ヒンジアセンブリ（２０）は近接した柵セグメント（ＡＡ）の下端に装着され、下部ガジオン具（２１）と下部ピントル具（２２）とを有する。
下部ガジオン具（２１）は一方の柵セグメント（ＡＡ）の下端に取り付けられ、そこから縦方向に突出し、上面、下面、貫通孔（２１１）、必須ではない案内溝（２１３）、必須ではない円筒形突出部、及び必須ではない多数の歯（２１２）を有する。貫通孔（２１１）は下部ガジオン具（２１）を貫通して形成され、内壁を有する。この内壁は環状の肩を有してもよい。この環状の肩は、下部ガジオン具（２１）の上面の一部を成す。案内溝（２１３）は下部ガジオン具（２１）の上面内に形成され、下部ガジオン具（２１）の貫通孔（２１１）と連通する。該円筒形突出部は下部ガジオン具（２１）の貫通孔（２１１）の周りの下面から下方に突出形成され、先端に向って徐々に細くなっており、外面を有する。歯（２１２）は下部ガジオン具（２１）の該円筒形突出部のこの外面に縦方向に形成されている。
【００１６】
下部ピントル具（２２）は他方の柵セグメント（ＡＡ）の下端に取り付けられ、そこから縦方向に突出し、選択的に下部ガジオン具（２１）と係合しこれを保持する。下部ピントル具（２２）は上面と、必須ではない凹部（２２１）と、下部ピントル（２２２）とを有する。下部ピントル具（２２）の上面は、下部ガジオン具（２１）の下面に対向し、選択的に当接する。凹部（２２１）は下部ピントル具（２２）の上面内に形成され、下部ガジオン具（２１）の該円筒形突出部が装入され、内部側壁を有している。凹部（２２１）のこの内部側壁は、奥に向って徐々に狭くなっており、選択的に下部ガジオン具（２１）の該円筒形突出部に当接しこれを保持する。この内部側壁は多数の歯（２２３）を有してもよい。歯（２２３）は下部ガジオン具（２１）の該円筒形突出部の歯（２１２）と選択的に係合し、下部ガジオン具（２１）と下部ピントル具（２２）とを互いに適正な位置に保持する。下部ピントル（２２２）は、凹部（２２１）内の下部ピントル具（２２）の上面から同心円状に上方に突出形成され、下部ガジオン具（２１）の貫通孔（２１１）を貫通して回動可能に装着されて、上部ピントル具（１１）の上部ピントル（１１２）と対向し一直線に並ぶ。
【００１７】
引締めねじアセンブリ（３０）は、上部ピントル具（１１）と下部ピントル具（２２）とに回転可能に接続され、引締めねじアセンブリ（３０）を回転させる方向に依って、上部ガジオン具（１２）と下部ガジオン具（２１）とを上部ピントル具（１１）と下部ピントル具（２２）とに押し込むか、又は上部ピントル具（１１）と下部ピントル具（２２）とを解放する。引締めねじアセンブリ（３０）は、上端と下端とを有し、主筒（３１）、接続筒（３２）、及びピン（３３）によって構成されてもよい。
【００１８】
引締めねじアセンブリ（３０）の上端は、上部ピントル（１１２）に取り付けられ、上部ガジオン具（１２）の下面に当接する。
引締めねじアセンブリ（３０）の下端は、案内溝（２１３）に沿って滑り、下部ピントル（２２２）に取り付けられ、下部ガジオン具（２１）の上面に当接する。
【００１９】
主筒（３１）は、上開放端、下開放端、側壁、スリーブ（３１１）、２つの細長いスロット（３１２）、及び下部孔（３１３）を有する。この下開放端は案内溝（２１３）に沿って滑り、下部ガジオン具（２１）の貫通孔（２１１）に入り、下部ガジオン具（２１）の上面に当接し、下部ピントル具（２２）の下部ピントル（２２２）が装入される。該下開放端は、下部ガジオン具（２１）の貫通孔（２１１）の内壁にある前記環状の肩に当接してもよい。スリーブ（３１１）は主筒（３１）の上開放端に装着される。２つの細長いスロット（３１２）は、主筒（３１）の側壁に互いに正反対側で上開放端近くに縦方向に形成されている。下部孔（３１３）は主筒（３１）の下開放端内に同一軸を中心として形成され、下部ピントル具（２２）の下部ピントル（２２２）に対応しこれが装入される。下部孔（３１３）にはねじが切られていてもよい。
【００２０】
接続筒（３２）は、引締めねじアセンブリ（３０）を容易に回転させられるよう非円形であってもよい。接続筒（３２）は上端、下端、側壁、上部ねじ山付き孔（３２１）、同一軸凹部（３２２）、２つのピン孔（３２３）、及びばね（３２４）を有する。接続筒（３２）の上端は上部ガジオン具（１２）の下面に当接する。上部ねじ山付き孔（３２１）は、接続筒（３２）の上端に同一軸を中心として形成され、上部ピントル具（１１）の上部ピントル（１１２）に対応しこれが装入される。同一軸凹部（３２２）は接続筒（３２）の下端内に形成され、主筒（３１）の上開放端が装入される。２つのピン孔（３２３）は、接続筒（３２）の側壁に互いに正反対側に形成され、同一軸凹部（３２２）に連通する。ばね（３２４）は同一軸凹部（３２２）内に装着され、接続筒（３２）とスリーブ（３１１）とに当接する。
【００２１】
ピン（３３）は主筒（３１）の２つの細長いスロット（３１２）と接続筒（３２）の２つのピン孔（３２３）とを通って延在し、ピン（３３）と接続筒（３２）とが、主筒（３１）の周りを回転することなく主筒（３１）の細長いスロット（３１２）に沿って軸方向に移動するのを許可する。
【００２２】
上記の柵ヒンジアセンブリは、次の利点を有する。上部ピントル具（１１）の上部ピントル（１１２）と下部ピントル具（２２）の下部ピントル（２２２）とは、互いに対向する。従って、接続筒（３２）が回転された時、引締めねじアセンブリ（３０）の上部ねじ山付き孔（３２１）と主筒（３１）のねじ山付き下部孔（３１３）とは、上部ピントル具（１１）の上部ピントル（１１２）と下部ピントル具（２２）の下部ピントル（２２２）とに同時に螺合される。従って、上部ガジオン具（１２）は上部ピントル具（１１）と引締めねじアセンブリ（３０）の上端との間にしっかりと保持され、下部ガジオン具（２１）は下部ピントル具（２２）と引締めねじアセンブリ（３０）の下端との間にしっかりと保持される。これにより近接した柵セグメント（ＡＡ）同士は特定の位置に保持される。一方、引締めねじアセンブリ（３０）が反対方向に回転された時、上部ねじ山付き孔（３２１）とねじ山付き下部孔（３１３）は、上部ピントル具（１１）の上部ピントル（１１２）と下部ピントル具（２２）の下部ピントル（２２２）からそれぞれ緩められ、近接した柵セグメント（ＡＡ）同士を互いから切り離すことなく調整することが可能となる。
【図面の簡単な説明】
【００２３】
【図１】本発明に係る柵ヒンジアセンブリを備えた柵の斜視図である。
【図２】図１の柵ヒンジアセンブリの展開斜視図である。
【図３】図１の柵ヒンジアセンブリの側断面図である。
【図４】異なる配置の近接した柵セグメントに接続された図１の柵ヒンジアセンブリの展開斜視図である。
【図５】従来技術に係る柵の展開斜視図である。
【符号の説明】
【００２４】
１０  上部ヒンジアセンブリ
１１  上部ピントル具
１２  上部ガジオン具
２０  下部ヒンジアセンブリ
２１  下部ガジオン具
２２  下部ピントル具
３０  引締めねじアセンブリ
３１  主筒
３２  接続筒
３３  ピン
１１２  上部ピントル
１２１  貫通孔
２１１  貫通孔
２２２  下部ピントル
【図１】
0005149702.tif 000002
【図２】
0005149702.tif 000003
【図３】
0005149702.tif 000004
【図４】
0005149702.tif 000005
【図５】
0005149702.tif 000006